(57)【要約】【課題】予め壁面に配設しておくことで壁面に不要な傷を付けることなく、一種類のもので様々な用途に使用できる汎用性の高い造作材を提供する。【解決手段】本発明の造作材１０は、住居室内の壁面２０に略水平にて固定される長尺板状のベース部材１２、前記ベース部材１２の幅方向上端部側の表面に、幅方向断面形状が略Ｌ字状の上側係合片１４ａを前記ベース部材１２の長手方向全長に亘って突設することにより形成された上方に開口する上側係合部１４、前記ベース部材１２の幅方向下端部側の表面に、幅方向断面形状が略Ｌ字状の下側係合片１６ａを前記ベース部材１２の長手方向全長に亘って突設することにより形成された下方に開口する下側係合部１６、及び前記ベース部材１２表面の上側係合片および下側係合片に係合離脱可能に取付けられ、該ベース部材１２の表面を覆うカバー部材１８で構成されていることを特徴とする。【選択図】図１
2013076284.tif 000002
【特許請求の範囲】
【請求項１】
住居室内の壁面に略水平にて固定される長尺板状のベース部材、
前記ベース部材の幅方向上端部側の表面に、幅方向断面形状が略Ｌ字状の上側係合片を前記ベース部材の長手方向全長に亘って突設することにより形成された上方に開口する上側係合部、
前記ベース部材の幅方向下端部側の表面に、幅方向断面形状が略Ｌ字状の下側係合片を前記ベース部材の長手方向全長に亘って突設することにより形成された下方に開口する下側係合部、及び
前記ベース部材表面の上側係合片および下側係合片に係合離脱可能に取付けられ、該ベース部材の表面を覆うカバー部材で構成されていることを特徴とする造作材。
【請求項２】
前記上側係合部と前記下側係合部とが、前記ベース部材の長手方向中心軸線を挟んで線対称に形成されていることを特徴とする請求項１に記載の造作材。
【発明の詳細な説明】
【技術分野】
【０００１】
本発明は、室内の壁面に配設される造作材に関する。
【背景技術】
【０００２】
住居室内の壁面に洋服用ハンガー等を吊るしたり、絵画や写真を飾ったり、棚や手摺りを設置したりすることが日常的に行なわれている。このように、壁面に対して様々な物を固定する際、一般的には釘やビスなどを用いるが、特に賃貸住宅等では、釘やビスなどの使用は壁面を傷つけるために好まれない。そのために、従来より、壁面における様々な物の取付けに関し、特殊な造作材を用いる下記技術が提案されている（例えば、特許文献１及び２参照）。
【０００３】
すなわち、例えば特許文献１（特開平５−３１１８６１号公報）には、壁と天井の突合せ部に下向きに開放する係合溝を設けた天井廻り縁を設け、移動可能な絵吊具で壁面に絵画を吊るす技術が提案されている。
【０００４】
また、特許文献２(特開２００６−１４４２３５号公報)には、発泡樹脂からなり、壁面に略水平に固定される長尺のフック本体を備え、該フック本体の上部には長手方向に沿って引掛部が設けられたフック部材を壁面に固定し、これにハンガー等を吊るす技術が提案されている。
【０００５】
これらの技術によれば、壁面に不必要に穴を開けることなく、様々なものを壁面に吊るしたり飾ったりすることができる。
【先行技術文献】
【特許文献】
【０００６】
【特許文献１】特開平５−３１１８６１号公報
【特許文献２】特開２００６−１４４２３５号公報
【発明の概要】
【発明が解決しようとする課題】
【０００７】
しかしながら、上述の各技術では、これらを複合的に組合わせて室内壁に設置することによって、壁面全体に様々な物を取付けることができるようになるが、各造作材は、夫々定められた態様によって壁面の定められた部位にしか設置することができないため、このように壁面全体に様々な物を取付けようとした場合には、準備する造作材の種類が増加し、在庫や施工などの管理が煩雑になると云う問題が生じていた。
【０００８】
それゆえに、本発明の主たる課題は、予め壁面に配設しておくことで壁面に不要な傷を付けることなく、一種類のもので様々な用途に使用できる汎用性の高い造作材を提供することである。
【課題を解決するための手段】
【０００９】
本発明における第１の発明は、
（ａ）住居室内の壁面２０に略水平にて固定される長尺板状のベース部材１２、
（ｂ）前記ベース部材１２の幅方向上端部側の表面に、幅方向断面形状が略Ｌ字状の上側係合片１４ａを前記ベース部材１２の長手方向全長に亘って突設することにより形成された上方に開口する上側係合部１４、
（ｃ）前記ベース部材１２の幅方向下端部側の表面に、幅方向断面形状が略Ｌ字状の下側係合片１６ａを前記ベース部材１２の長手方向全長に亘って突設することにより形成された下方に開口する下側係合部１６、及び
（ｄ）前記ベース部材１２表面の上側係合片および下側係合片に係合離脱可能に取付けられ、該ベース部材１２の表面を覆うカバー部材１８で構成されている
（ｅ）ことを特徴とする造作材１０、である。
【００１０】
この発明では、ベース部材１２の幅方向上下両端部に上方及び下方にそれぞれ開口する各係合部１４，１６が設けられているので、見切り縁(10A)として壁面２０に固定した造作材１０の上側係合部１４に手摺Ｒや棚などを設けたり、同造作材１０の下側係合部１６に収納家具Ｆの転倒防止金具Ｓを取付けたりすることができる。また、(図示しないが)回り縁として壁面２０に固定した造作材１０の下側係合部１６をピクチャーレールにして絵画などを吊るしたり、見切り縁(10A)として壁面２０に固定した造作材１０の下側係合部１６と、幅木(10B)として壁面２０に固定した造作材１０の上側係合部１４との間に、腰壁パネルＷを固定する(ケンドン式)こともできる。このように本発明の造作材１０では、壁面２０に不要な傷を付けることなく１つの造作材１０で様々な用途をカバーすることができる。
【００１１】
また、ベース部材１２の表面には、これを覆うカバー部材１８が上側係合片１４ａおよび下側係合片１６ａに対して係合離脱可能に取付けられているが、このカバー部材１８を室内配色に対応した色の物などに取替えるだけで簡単に意匠性を向上させることができる。
【００１２】
本発明における第２の発明は、上記第１の発明の造作材１０において、「前記上側係合部１４と前記下側係合部１６とが、前記ベース部材１２の長手方向中心軸線Ｃを挟んで線対称に形成されている」ことを特徴とするもので、このように上側係合部１４と下側係合部１６とを同形同大とすることで、見切り縁(10A)，幅木(10B)及び回り縁等のそれぞれに専用部材を用いず、本発明の造作材１０を共通で使用すれば、多品種の造作材を在庫する必要がなくなり、在庫管理や施工管理の負担を軽減させることができるようになる。
【発明の効果】
【００１３】
本発明の造作材によれば、予め壁面に配設しておくことで壁面に不要な傷を付けることなく、一種類のもので様々な用途に使用できる汎用性の高い造作材を提供することができる。
【図面の簡単な説明】
【００１４】
【図１】本発明の造作材の使用態様の一例を示す説明図である。
【図２】本発明の一実施例の造作材を幅木として施工する場合の施工手順を示す説明図である。
【図３】本発明の一実施例の造作材に手摺りを取付ける際の施工手順を示す説明図である。
【発明を実施するための形態】
【００１５】
以下、本発明を図示実施例に従って説明する。図１は、本発明の造作材１０を見切り縁(10A)及び幅木(10B)として使用する使用態様の一例を示す説明図である。本発明の造作材１０は、このように見切り縁(10A)、幅木(10B)或いは回り縁(図示せず)として壁面２０に固定される長尺部材で、上側係合部１４及び下側係合部１６が形成されたベース部材１２とカバー部材１８とで大略構成されている。
【００１６】
ベース部材１２は、アルミニウム合金やＳＵＳ等の金属材料或いはＦＲＰ(繊維強化プラスチック)等の樹脂材料のように高い強度と剛性とを有する材料で形成された幅約４０ｍｍ前後〜７０ｍｍ前後程度の長尺板状部材である。このベース部材１２の背面は、壁面２０に当接し得るよう平坦に形成されている。また、ベース部材１２の幅方向略中央部における所定位置には、壁面２０への取付けの際にビス２６などの固定部材が挿通される貫通孔１２ａが所定間隔(柱などに一致する間隔)で穿設されており(図２(a)参照)、ベース部材１２の前面におけるこの貫通孔１２ａ近傍の位置には、貫通孔１２ａを両側から挟むように当該ベース部材１２を部分的に肉厚にして強度を補強するための突条部１２ｂが長手方向へ延びて(図示実施例の場合は２列)形成されている。
【００１７】
そして、このベース部材１２の幅方向上端部及び幅方向下端部には、それぞれ上側係合部１４及び下側係合部１６が一体的に形成されている。
【００１８】
上側係合部１４は、ベース部材１２の幅方向上端部側の表面に、幅方向断面形状が略Ｌ字状の上側係合片１４ａを、前記ベース部材１２の長手方向全長に亘って突設することにより形成された、上方に開口する部位である。なお、本実施例の造作材１０では、上側係合部１４を形成するベース部材１２の幅方向上端及び上側係合片１４ａの先端が、互いに近接する方向に曲折された鉤状にて形成されている。
【００１９】
下側係合部１６は、ベース部材１２の幅方向下端部側の表面に、幅方向断面形状が略Ｌ字状の下側係合片１６ａを、前記ベース部材１２の長手方向全長に亘って突設することにより形成された、下方に開口する部位である。なお、本実施例の造作材１０では、下側係合部１６を形成するベース部材１２の幅方向下端及び下側係合片１６ａの先端が、互いに近接する方向に曲折された鉤状にて形成されている。
【００２０】
ここで、本実施例の造作材１０では、ベース部材１２と上側係合片１４ａ及びベース部材１２と下側係合片１６ａとの接続部分にそれぞれ階段状の段部２２a及び２２ｂを設け、ベース部材１２のみならず上側係合片１４ａ及び下側係合片１６ａの基部の強度も補強するようにしている。
【００２１】
また、本実施例の造作材１０では、上側係合部１４と下側係合部１６とが、ベース部材１２の長手方向中心軸線Ｃ(図２(a)参照)を挟んで線対称に形成されている。このため、見切り縁(10A)，幅木(10B)及び回り縁等のそれぞれに専用部材を用いず、本発明の造作材１０を共通で使用すれば、多品種の造作材を在庫する必要がなくなり、在庫管理や施工管理の負担を軽減させることができるようになる。
【００２２】
カバー部材１８は、上述したベース部材１２と同様の金属材料や樹脂材料の他に、中質繊維板[ＭＤＦ]、合板又は無垢の木材等のような木質材料などでも形成され、ベース部材１２の表面に着脱可能に取付けられる長尺板状の部材であり、ベース部材１２の正面(前面)外形と略等しい外形を有するカバー部材本体１８ａと、該カバー部材本体１８ａの背面側に突設され、このカバー部材１８をベース部材１２の正面に取付ける際に、上側係合片１４ａの基部水平片１４ａ１及び下側係合片１６ａの基部水平片１６ａ１に弾性的に当接し、上側係合片１４ａ及び下側係合片１６ａで区画されたベース部材１２の表面空間内を密閉する上下一対の爪部材１８ｂとで構成されている。
【００２３】
なお、カバー部材本体１８ａの表面は、必要に応じて、化粧紙，化粧樹脂含浸紙，化粧合成樹脂シート及び化粧単板等からなる化粧材を貼着することによって、或いは着色塗装，柄模様印刷及び透明塗装などを施すことによって装飾・保護するようにしてもよい。
【００２４】
次に、図２を参照しつつ、以上のように構成された造作材１０を用いて幅木(10B)を施工する方法を説明する。
【００２５】
本発明の造作材１０を用いて幅木(10B)を施工する際には、先ず始めに、上側係合部１４の所定位置に、上側係合部１４の外部と、上側係合片１４ａ及び下側係合片１６ａで区画されカバー部材１８で密閉されるベース部材１２の表面空間とを連通する切欠部２４を設けると共に、切欠部２４が設けられたベース部材１２を、壁面２０下端の床面と接する所定の取付位置に配置する（図２(a)参照）。
【００２６】
なお、住居室内に配設される電源コードやケーブルなどの配線Ｄを、幅木(10B)となる造作材１０の中を通して隠す必要がない場合には、上述のような切欠部２４を設ける必要はない。
【００２７】
続いて、ベース部材１２の貫通孔１２ａにビス２６を通して壁面２０にベース部材１２をビス止めすると共に、電源コードやケーブルなどの配線Ｄを隠す必要がある場合には、上側係合部１４に設けた切欠部２４から上側係合片１４ａ及び下側係合片１６ａで区画された空間内へと配線Ｄを這わせる（図２(b)参照）。
【００２８】
ここで、壁面２０にビス２６を留め付ける位置は、図１に示すように、間柱２８や（見切り縁(10A)として施工する場合にはこれに加えて）横胴縁３０などが配設され、下地として十分な強度を有する位置に留め付けるのが好ましい。
【００２９】
そして、ベース部材１２の正面(前面)にカバー部材１０を嵌着することにより、本発明の造作材１０を用いた幅木(10B)の施工が完成する（図２(c)参照）。
【００３０】
次に、図３を参照しつつ、見切り縁(10A)として施工された造作材１０に手摺Ｒを施工する方法について説明する。
【００３１】
先ず初めに、本実施例で使用する手摺Ｒは、前面の角部が面取りされた幅８０ｍｍ程度の長尺厚板状の本体ｒ１と、該本体ｒ１の底面奥の長手方向全体に亘って設けられ、上側係合部１４の内面形状と略等しい外径形状で形成されて上側係合部１４に嵌着可能な係合突条ｒ２とで構成されている（図３(a)参照）。
【００３２】
従って、見切り縁(10A)として施工された造作材１０に手摺Ｒを施工する際には、造作材１０の上側係合部１４に、手摺Ｒの係合突条ｒ２を上から圧入するだけで簡単に手摺Ｒの施工が完了する。
【００３３】
なお、図１に示すように、この見切り縁(10A)には、上述した手摺Ｒのみならず、棚板(図示せず)や、壁面２０近傍に配置された収納家具Ｆを左右両側から挟持してその転倒を防止する転倒防止金具Ｓなども取付けることができる。このうち、転倒防止金具Ｓも造作材１０の下側係合部１６に嵌着される係合突起ｓ１が設けられているため、当該係合突起ｓ１を下側係合部１６に圧入するだけで簡単に施工が完了する。
【００３４】
このように本実施例の造作材１０によれば、ベース部材１２の幅方向上下両端部に上方及び下方にそれぞれ開口する各係合部１４，１６が設けられているので、見切り縁(10A)として壁面２０に固定した造作材１０の上側係合部１４に手摺Ｒや棚などを設けたり、同造作材１０の下側係合部１６に収納家具Ｆの転倒防止金具Ｓを取付けたりすることができる。また、(図示しないが)回り縁として壁面２０に固定した造作材１０の下側係合部１６をピクチャーレールにして絵画などを吊るしたり、図１に示すように、見切り縁(10A)として壁面２０に固定した造作材１０の下側係合部１６と、幅木(10B)として壁面２０に固定した造作材１０の上側係合部１４との間に、腰壁パネルＷを固定する(ケンドン式)こともできる。このように、本発明の造作材１０では、壁面２０に不要な傷を付けることなく１つの造作材１０で様々な用途をカバーすることができる。
【００３５】
なお、上述の実施例では、ベース部材１２の貫通孔１２ａにビス２６を挿通させて該ベース部材１２を壁面２０にビス留めする場合を示しているが、ベース部材１２を壁面２０に対して強固に固定できるものであれば、その固定部材はビス２６に限定されるものではなく、例えば釘や接着剤など如何なるものであってもよい。
【符号の説明】
【００３６】
１０…造作材
１２…ベース部材
１２ａ…貫通孔
１２ｂ…突条部
１４…上側係合部
１４ａ…上側係合片
１４ａ１…(上側係合片の)基部水平片
１６…下側係合部
１６ａ…下側係合片
１６ａ１…(下側係合片の)基部水平片
１８…カバー部材
１８ａ…カバー部材本体
１８ｂ…爪部材
２０…壁面
２４…切欠部
２６…ビス
２８…間柱
３０…横胴縁
Ｃ…ベース部材の長手方向中心軸線
Ｄ…配線
Ｒ…手摺
Ｆ…収納家具
Ｓ…転倒防止金具
Ｗ…腰壁パネル
【図１】
2013076284.tif 000003
【図２】
2013076284.tif 000004
【図３】
2013076284.tif 000005